(57)【要約】      （修正有）【課題】眉を整形する際、使用者が手がかりとなる測定基準の位置を合わせ調整するのを可能にする眉用器具である。基部の結合部と、この基部結合部から延出する一組の拡張アームとを有する装置を提供する。【解決手段】眉用器具は、第１拡張アーム４０を備える。第１拡張アーム４０は、基部に第１歯車１４８を有する。第１拡張アーム４０の内側部分に第１直線縁部４５が画定される。第１直線縁部４５は、緯度方向に中心からずれるように隙間の距離の半分の距離だけ緯度方向にずらされる。第２拡張アーム４０は、基部に第２歯車１４８を有する。第２拡張アーム４０の内側部分に第２直線縁部４５が画定される。第２直線縁部４５は、隙間の距離の半分の距離だけ緯度方向に中心からずれるように緯度方向にずらされる。第１歯車１４８が第２歯車１４８と噛み合った構成になるように、筐体が第１歯車１４８を第２歯車１４８に接続する。【選択図】図１
2010284521.tif 000002
【特許請求の範囲】
【請求項１】
ａ  基部に第１歯車を有する第１拡張アームと、
ｂ  前記第１拡張アームの内側部分に形成され、緯度方向に中心からずれるように隙間の距離の半分の距離だけ緯度方向にずらされる第１直線縁部と、
ｃ  基部に第２歯車を有する第２拡張アームと、
ｄ  前記第２拡張アームの内側部分に形成され、緯度方向に中心からずれるように隙間の距離の半分の距離だけ緯度方向にずらされる第２直線縁部とを備える眉用器具であって、前記隙間の距離が互いに向き合う前記第１直線縁部と前記第２直線縁部の間の距離であり、その距離がおよそ１インチであり、
ｅ  前記第１歯車が前記第２歯車と噛み合った構成になるように、前記第１歯車を前記第２歯車に接続する筐体を備える眉用器具。
【請求項２】
中心の縦方向のラインと前記第１直線縁部との角度として画定される第１角度と、中心の縦方向のラインと前記第２の直線縁部との角度として画定される第２角度とをさらに有し、前記第１歯車および前記第２歯車が、前記第１拡張アームと前記第２拡張アームが角度を形成して拡張するその間ずっと前記第１角度と前記第２角度がほぼ均等のままであるように構成される、請求項１に記載の眉用器具。
【請求項３】
前記第１拡張アーム上の第１グリップと、前記第２拡張アーム上の第２グリップとをさらに備え、前記第１グリップが、細長い平坦な部材として形成される記第１拡張アームの上側の面に配置され、前記第２グリップが、細長い平坦な部材として形成される前記第２拡張アームの上側の面に配置される、請求項１に記載の眉用器具。
【請求項４】
前記第１拡張アームに配置された平坦な先端を有する第１フック型終端部と、前記第２拡張アームに配置された平坦な先端を有する第２フック型終端部とをさらに備える、請求項１に記載の眉用器具。
【請求項５】
歯車の直径がおよそ０．５ｃｍである、請求項１に記載の眉用器具。
【請求項６】
前記第１拡張アームと前記第２拡張アームが共におよそ５インチの長さである、請求項１に記載の眉用器具。
【請求項７】
前記第１直線縁部と前記第１歯車の間の距離として事前に決定される第１の長手方向の偏倚を決める第１内側角度と、前記第２直線縁部と前記第２歯車の間の距離として事前に決定される第２の長手方向の偏倚を決める第２内側角度とをさらに有し、前記筐体が筐体頂部結合装置を有する筐体頂部部分と、筐体底部結合装置を有する筐体底部部分とを有し、前記筐体頂部部分が結合ラインで前記筐体底部部分に結合する、請求項１に記載の眉用器具。
【請求項８】
中心の縦方向ラインと前記第１直線縁部との角度として画定される第１角度と、中心の縦方向のラインと前記第２直線縁部との角度として画定される第２角度とをさらに有し、前記第１歯車および前記第２歯車が、前記第１拡張アームと前記第２拡張アームが角度を形成して拡張するその間ずっと前記第１角度と前記第２角度がほぼ均等のままであるように構成される、請求項７に記載の眉用器具。
【請求項９】
前記第１拡張アーム上の第１グリップと、前記第２拡張アーム上の第２グリップとをさらに備え、前記第１グリップが、細長い平坦な部材として形成される前記第１拡張アームの上側の面に配置され、前記第２グリップが、細長い平坦な部材として形成される前記第２拡張アームの上側の面に配置される、請求項８に記載の眉用器具。
【請求項１０】
前記第１拡張アームに配置された平坦な先端を有する第１フック型終端部と、前記第２拡張アームに配置された平坦な先端を有する第２フック型終端部とをさらに備える、請求項９に記載の眉用器具。
【請求項１１】
歯車の直径がおよそ０．５ｃｍである、請求項９に記載の眉用器具。
【請求項１２】
前記第拡張アームと前記第２拡張アームが共におよそ５インチの長さである、請求項９に記載の眉用器具。
【請求項１３】
前記第１直線縁部と前記第１歯車の間の距離として事前に決定される第１の長手方向の偏倚を決める第１内側角度範囲と、前記第２直線縁部と前記第２歯車の間の距離として事前に決定される第２の長手方向の偏倚を決める第２内側角度範囲とをさらに有し、前記筐体が筐体頂部結合装置を有する筐体頂部部分と、筐体底部結合装置を有する筐体底部部分とを有し、前記筐体頂部部分が結合ラインで前記筐体底部部分に結合する、請求項１に記載の眉用器具。
【請求項１４】
中心の縦方向ラインと前記第１直線縁部との角度として画定される第１角度と、中心の縦方向のラインと前記第２直線縁部との角度として画定される第２角度とをさらに有し、前記第１歯車および前記第２歯車が、前記第１拡張アームと前記第２拡張アームが角度を形成して拡張するその間ずっと前記第１角度と前記第２角度がほぼ均等のままであるように構成される、請求項１３に記載の眉用器具。
【請求項１５】
前記第１拡張アーム上の第１グリップと、前記第２拡張アーム上の第２グリップとをさらに備え、前記第１グリップが、細長い平坦な部材として形成される前記第１拡張アームの上側の面に配置され、前記第２グリップが、細長い平坦な部材として形成される前記第２拡張アームの上側の面に配置される、請求項１４に記載の眉用器具。
【請求項１６】
前記筐体が筐体頂部結合装置を有する筐体頂部部分と、筐体底部結合装置を有する筐体底部部分とを有し、前記筐体頂部部分が結合ラインで前記筐体底部部分に結合する、請求項１に記載の眉用器具。
【請求項１７】
前記第１拡張アームに配置された平坦な先端を有する第１フック型終端部と、前記第２拡張アームに配置された平坦な先端を有する第２フック型終端部とをさらに備え、歯車の直径がおよそ０．５ｃｍであり、前記第拡張アームと前記第２拡張アームが共におよそ５インチの長さである、請求項１に記載の眉用器具。
【請求項１８】
前記第１直線縁部と前記第２直線縁部が互いから０°であり平行する第１位置と、前記第１直線縁部と前記第２直線縁部が互いから１８０°である第２位置とをさらに有し、前記第１位置が、前記第１直線縁部および前記第２直線縁部上に配置された一組の当接面の当接ラインによって形成される最小角度であり、前記第２位置が、前記筐体に当接する前記第１拡張アームの当接、および前記筐体に当接する前記第２拡張アームの当接によって形成される最大角度である、請求項１に記載の眉用器具。
【請求項１９】
前記筐体が筐体頂部結合装置を有する筐体頂部部分と、筐体底部結合装置を有する筐体底部部分とを有し、前記筐体頂部部分が結合ラインで前記筐体底部部分に結合する、請求項１８に記載の眉用器具。
【請求項２０】
中心の縦方向ラインと前記第１直線縁部との角度として画定される第１角度と、中心の縦方向のラインと前記第２直線縁部との角度として画定される第２角度とをさらに有し、前記第１歯車および前記第２歯車が、前記第１拡張アームと前記第２拡張アームが角度を形成して拡張するその間ずっと前記第１角度と前記第２角度がほぼ等しいままであるように構成される、請求項１９に記載の眉用器具。
【発明の詳細な説明】
【技術分野】
【０００１】
本出願は、２００９年３月１０日に出願された同一の発明者Ｎａｔａｌｉｅ  Ｐｌａｉｎによる眉用器具という名称の意匠特許出願の一部継続出願であり、その優先権を主張する。
【背景技術】
【０００２】
眉の整形は、昔からある技術であり優れた技術と忍耐を必要とする。典型的には、補助なしで眉毛を整えることは初心者には困難である。なぜなら眉毛は簡単には再生しないため、眉毛の整形を間違ってしまった場合、化粧品を使用しても修正するのが難しい半永久的な美容上のダメージとなる恐れがあるからである。
【発明の概要】
【課題を解決するための手段】
【０００３】
本発明は、眉を整形する際、使用者が手がかりとなる測定基準の位置を合わせ調整するのを可能にする眉用器具である。本発明は、基部の結合部と、この基部結合部から延出する一組の拡張アームとを有する装置である。一組の拡張アームは、互いからおよそ１インチ離間して配置される内側縁部を有する。一組の拡張アームは、互いに対して回転し、ピンセットで抜き取る範囲を画定するためのガイドを提供する。
【０００４】
本発明の使用に関して、使用者はまず、一組の拡張アームが互いに対して平行な内側縁部を有するように眉用器具を閉じる。使用者は、眉部分の内側にわたって拡張するように垂直方向に内側縁部を位置を合わせて開始ラインＡを画定する。使用者は次いで、拡張アームの内側縁部が眼球の虹彩の外縁部と位置が合うように、眉用器具の片方のアームを拡張させる。拡張アームの内側縁部のこの部分を眉全体に拡張させて、アーチ型のラインＢを画定する。使用者は次いで、眉用器具の角度を広げるために、内側縁部が目の外縁部と位置が合うまで拡張アームを拡張させて終端ラインＣを画定する。拡張アームの内側縁部は、眉全体に拡張して終端ラインＣを画定する。
【０００５】
次いで、アームを使用者の目の間の部分に載せたまま、拡張アームの内側縁部を眉の底部のすぐ下に配置することができるように、眉用器具は９０°を超える角度まで完全に拡張される。使用者は、開始ラインＡをアーチ型ラインＢにつなぐために第１ラインを引く。拡張アームの内側縁部は次いで、アーチ型ラインＢと終端ラインＣの間に引かれる第２ラインに対するガイドを提供する。使用者は次いで、直線縁部である内側縁部を使用して眉毛が同じ高さであることを確認する。使用者はその後、もう一方の目でもこのステップを繰り返す。
【発明の効果】
【０００６】
したがって使用者は、一組の開始ラインＡの間の部分と、第１ラインと第２ラインの下の部分の眉毛をピンセットを使用して抜き取るためにピンセットで抜き取る範囲を画定する。第１ラインおよび第２ラインは、９０°を超える角度を形成する。
【図面の簡単な説明】
【０００７】
【図１】閉鎖位置にある眉用器具の外側の斜視図である。
【図２】閉鎖位置にある眉用器具の正面図である。
【図３】閉鎖位置にある眉用器具の後部図である。
【図４】閉鎖位置にある眉用器具の左側の図である
【図５】閉鎖位置にある眉用器具の右側の図である
【図６】閉鎖位置にある眉用器具の底部図である
【図７】閉鎖位置にある眉用器具の頂部図である
【図８】開始ラインを引く図である。
【図９】アーチ型のラインを引く図である。
【図１０】終端ラインを引く図である。
【図１１】開始ラインとアーチ型ラインの接続ラインを描く図である。
【図１２】アーチラインと終端ラインの間の接続ラインを描く図である。
【図１３】完成したラインの図である。
【発明を実施するための形態】
【０００８】
本発明は図１から図７に見られるように、眉の形を決めるラインを引く目的で様々な機能を備えた眉用器具である。使用者は、この眉用器具を使用して眉の形を決めるラインを引いて、ピンセットで眉毛を抜く範囲を明確にすることができる。第１拡張アームおよび第２拡張アームは、それらが互いから離れるように回転することができるように互いに対して回転する。第１拡張アームおよび第２拡張アームは、最初の０°の角度から１８０°の角度まで角度を広げるように適合される。
【０００９】
最適な状態の眉用器具は、全部で４つの部品を有する。第１および第２部品は、一組の拡張アーム４０である。各拡張アーム４０は、拡張アーム４０の１つの面に配置される把持くぼみ４１を有する。拡張アーム４０はまた内側縁部４５を有し、直線の内側縁部４５はそれぞれフック型終端部４２を有する。拡張アーム４０は、内側直線縁部４５を当接ライン４９に結合する１つの縁部として形成される内側角度４８を有する。当接ライン４９は、互いに対して平行して当接する一組の面で構成される。当接ライン４９の平行する当接部は、内側角度４８によって配向される際、一組の拡張アーム４０の内側の面において一組の直線縁部４５まで拡張する。直線縁部４５は、互いに対してほぼ平行である。拡張アーム４０は、平坦な先端を有するフック型終端部４２で終結する。
【００１０】
眉用器具の第３および第４の部品は、眉用器具の基部を覆う筐体部材である。頂部筐体部材５０および底部筐体部材５１はそれぞれ結合する部分、すなわち筐体頂部結合装置５２および筐体底部結合装置５３を有する。筐体頂部結合装置は、筐体底部結合装置に結合される。筐体頂部結合装置と筐体底部結合装置は、細長い境界面で結合することができる。あるいは筐体頂部結合装置と筐体底部結合装置は、非連続の境界面で結合することもできる。筐体頂部結合装置は、結合ラインで筐体底部結合装置と結合する。
【００１１】
筐体は、噛合い構成の一組の歯車１４８を保持する。それぞれの筐体部材から一組の突起が延出し、歯車１４８の回転軸として作用することができる。歯車１４８が合わさって噛み合うことから、器具の対称性に関する正中線からの各拡張アームの角度は等しくなる。一組の拡張アーム４０は、直線縁部４５の間に画定される一定の隙間を有する。この隙間は好ましくは、鼻の平均の幅にサイズが合わせられ事前に決められる。
【００１２】
一組の噛合い歯車は、拡張アームの内側角度範囲の大きさによって直線縁部の中心からずらされる。この偏倚は、緯度方向の成分と長手方向の成分とで構成される。緯度方向の偏倚は、内側角度範囲によって形成される緯度方向の隙間の距離の半分である。偏倚は、直線縁部４５と歯車の回転軸の間の距離である長手方向の成分を有する。
【００１３】
直線縁部４５は、最初は平行であり、平行な構成においてそれらが互いに対向するように向きを変えることができる。直線縁部が１８０°の構成において互いから離れて向くように引っ張られる際、平行な構成における抵抗が生じる。１８０°の構成ではさらに、フック型終端部４２も互いから離れるように向く。その最大角度は、拡張アームが筐体に当接することによって制限され較正され形成される。その最小角度は、第１拡張アームおよび第２拡張アームに配置された当接部分が当接することによって制限され較正され形成される。
【００１４】
歯車は、その間に空間を有している。歯車同士の空間は、歯車の間隔として事前に決定される。歯車は、１：１の駆動比ではなく、好ましくは同一寸法、同一サイズおよび同一材料である。歯車の軸同士の距離が約０．５ｃｍであるとき、歯車の直径も０．５ｃｍとなるのが最適な状態である。隙間の距離はおよそ１インチであるが、１インチを約０．５インチだけ超えたり、あるいは約０．５インチだけ小さくなるといった変動はある。拡張アームは好ましくは、約５インチの長さの平坦な細長い部材として形成される。
【００１５】
拡張アームは、開始位置である図１の第１の位置と、終了位置である図１１の第２の位置とを有する。開始位置において、第１角度と第２角度を画定することができる。第１角度は、中心の縦方向のラインと第１直線縁部との角度として画定され、第２角度は、中心の縦方向のラインと第２直線縁部との角度として画定される。第１歯車および第２歯車は、第１拡張アームと第２拡張アームが角度を形成して拡張するその間ずっと第１角度と第２角度がほぼ均等なままであるように構成される。
【００１６】
図８から図１３は、眉用器具の使用を示す。本発明の使用に関して、使用者はまず、一組の拡張アームが互いに対して平行な内部縁部を有するように眉用器具を閉じる。使用者は、眉部分の内側にわたって拡張するように垂直方向に内側縁部を位置を合わせて、開始ラインＡを画定する。使用者は次いで、拡張アームの内側縁部が虹彩の外縁部と位置が合うように眉用器具の片方のアームを拡張させる。拡張アームの内側縁部のこの部分を眉全体に拡張させて、アーチ型ラインＢを画定する。使用者は次いで、眉用器具の角度を広げるために、内側縁部が目の外縁部に位置が合わせられるまで拡張アームを拡張させて終端ラインＣを画定する。拡張アームの内側縁部は、眉全体に拡張して終端ラインＣを画定する。
【００１７】
次いで、使用者の目の間の部分にアームが載ったままの状態で拡張アームの内側縁部を眉の底部のすぐ下に配置することができるように、眉用器具は９０°を超える角度まで完全に拡張される。使用者は、開始ラインＡをアーチ型ラインＢにつなぐために第１ラインを引く。拡張アームの内側縁部は次いで、アーチ型ラインＢと終端ラインＣの間に引かれる第２ラインに対するガイドを提供する。使用者は次いで直線縁部である内側縁部を使用して、眉が同一の高さであることを確認する。使用者はその後、もう一方の目でもこのステップを繰り返す。
【００１８】
したがって使用者は、一組の開始ラインＡの間の部分と、第１ラインと第２ラインの下の部分の眉毛をピンセットで抜き取るために、ピンセットで眉毛を抜き取る範囲を画定する。第１ラインおよび第２ラインは、９０°を超える角度を形成する。
【符号の説明】
【００１９】
以下の要素の付記リストは、簡単な記載を理解する手助けとなるガイドである。
４０  拡張アーム
４１  把持くぼみ
４２  フック型終端部
４３  平坦な部分
４５  直線縁部
４８  内側の角度
４９  当接ライン
５０  筐体頂部
５１  筐体底部
５２  筐体頂部結合装置
５３  筐体底部結合装置
１４８  歯車
Ａ  開始ライン
Ｂ  アーチ型ライン
Ｃ  終端ライン
【図１】
2010284521.tif 000003
【図２】
2010284521.tif 000004
【図３】
2010284521.tif 000005
【図４】
2010284521.tif 000006
【図５】
2010284521.tif 000007
【図６】
2010284521.tif 000008
【図７】
2010284521.tif 000009
【図８】
2010284521.tif 000010
【図９】
2010284521.tif 000011
【図１０】
2010284521.tif 000012
【図１１】
2010284521.tif 000013
【図１２】
2010284521.tif 000014
【図１３】
2010284521.tif 000015